(57)【要約】【課題】被写体距離変更時において、ダイアル部材が押下操作された際には、被写体距離に関連する表示要素を非表示とし、画面の視認性を向上させる。【解決手段】双方向に回転可能かつ該回転方向と垂直方向に押下可能なダイアル部材を有し、画面内の被写体画像に重畳して表示される被写体距離に関連する表示要素６０５，６１０を確認しながら前記ダイアル部材の回転操作により被写体距離変更可能な状態において、前記ダイアル部材の押下操作がなされた際は、前記被写体距離に関連する表示要素を非表示（図７（ａ）→図７（ｂ））とする制御手段を有する。【選択図】　　　　図７
2004104722.tif 000002
【特許請求の範囲】
【請求項１】
双方向に回転可能かつ該回転方向と垂直方向に押下可能なダイアル部材を有する撮像装置において、
画面内の被写体画像に重畳して表示される被写体距離に関連する表示要素を確認しながら前記ダイアル部材の回転操作により被写体距離変更可能な状態において、前記ダイアル部材の押下操作がなされた際は、前記被写体距離に関連する表示要素を非表示とする制御手段を有することを特徴とする撮像装置。
【請求項２】
前記ダイアル部材は、レリーズ操作部材の近傍に配置されることを特徴とする請求項１に記載の撮像装置。
【請求項３】
前記被写体距離に関連する表示要素は、被写体距離情報および被写体画像の部分拡大画像であることを特徴とする請求項１又は２に記載の撮像装置。
【請求項４】
前記制御手段は、前記ダイアル部材が押下されることに伴って前記被写体距離に関連する表示要素を非表示とした際に、該ダイアル部材により他に設定可能な項目が存在し、該ダイアル部材の回転操作がなされたことを検知すると、これに応答して前記設定項目に対する内容変更の表示に制御を移すことを特徴とする請求項１乃至３の何れかに記載の撮像装置。
【請求項５】
前記他の設定項目は、シャッター速度と絞り値の少なくとも一方であることを特徴とする請求項４に記載の撮像装置。
【請求項６】
前記ダイアル部材は、ダイアル操作部と、該ダイアル操作部の軸部の一端に固着され、前記ダイアル操作部の回転操作量を検出して前記制御手段に伝達する回転操作量検出部とにより成ることを特徴とする請求項１乃至５の何れかに記載の撮像装置。
【請求項７】
前記ダイアル操作部の軸部の他端側に支持され、前記ダイアル部材が押下されること連動して該ダイアル部材と一体的に上端から下端へスライドするスライド部材と、該スライド部材が前記下端までスライドすることにより、前記ダイアル部材が押下されたことを検出して前記制御手段に伝達する押下操作検出手段とを有することを特徴とする請求項６に記載の撮像装置。
【請求項８】
前記ダイアル部材の前記軸部には凹凸部が形成されており、該凹凸部と正対した位置に、付勢力を利用して前記軸部の回転に合わせて伸縮あるいは変形して前記ダイアル操作部の回転トルクを増減したり、前記軸部が回転する際に特定位置または特定のピッチにおいてクリック力を加える、少なくとも１本の付勢部材を配置したことを特徴とする請求項６又は７に記載の撮像装置。
【請求項９】
前記付勢部材の付勢力の方向は、前記スライド部材を前記下端から上端へ付勢する方向であり、前記ダイアル部材の押下の操作が解除されることにより、該ダイアル部材および前記スライド部材を初期位置に復帰させる機能を有することを特徴とする請求項８に記載の撮像装置。
【請求項１０】
請求項１、３、４、５の何れかに記載の表示要素の表示、非表示の処理手順をコンピュータに実行させることを特徴とするプログラム。
【請求項１１】
請求項１０に記載のプログラムを記録したことを特徴とするコンピュータ読み取り可能な記録媒体。
【発明の詳細な説明】
【０００１】
【発明の属する技術分野】
本発明は、被写体距離を自由に設定する機能を有した撮像装置、表示方法の処理手順をコンピュータに実行させるプログラム、ならびに該プログラムを記録した読み取り可能な記録媒体に関するものである。
【０００２】
【従来の技術】
従来、固体メモリ素子を有するメモリカードを記録媒体として、静止画像や動画像を記録再生する電子カメラ等の画像処理装置は既に市販されており、光学式のファインダーとカラー液晶パネル等に画像出力する電子ファインダーをともに備える電子カメラが販売されている。
【０００３】
この種の電子カメラにおいて、双方向に回転可能なダイアル部材を用いて焦点距離を設定変更可能なカメラが提案されている（特許文献１）。さらに、回転方向と垂直方向に押下可能なダイアル部材を用いて、絞り、シャッター速度、被写体距離等設定項目の多い撮影パラメータを、上記電子ファインダー上に重畳して表示しながら設定する操作系を有することで、操作性を向上した電子カメラは既に市販されている。
【０００４】
【特許文献１】
特開平１−２３８２８４号公報（第１−８頁、図２）
【０００５】
【発明が解決しようとする課題】
上記電子カメラにおいては、絞りやシャッター速度や、被写体距離に関する情報を常にファインダー画像に重畳表示しておく必要がある。特に被写体距離変更モード（使用者が手動操作によりピント合わせを行うモード）時では、被写体距離情報をバーを用いたＧＵＩ（Ｇｒａｐｈｉｃａｌ　Ｕｓｅｒ　Ｉｎｔｅｒｆａｃｅ；画面にアイコンや文字を表示しながら、利用者インターフェースを対話的に行う操作系を意味する）的な表現をする場合や、被写体画像の部分拡大表示を行う場合もあり、このような表示が画面に表示されたままではその後の絞り値やシャッター速度情報を設定する際にはこれら情報も重畳して画面内に表示されることになり、ファインダーの視認性を低下させる原因となっていた。さらには、画面内に情報が氾濫してしまい、却って操作性を悪化させ、誤操作の原因にもつながるものであった。
【０００６】
また近年、小型化、高機能化が進むにつれ、機能が増えているにもかかわらずボタンの数を増やすスペースが無いという問題が発生している。その為には人間工学的に操作しやすい場所に、操作感を犠牲にすることなく、かつ使いやすい操作部材が必要となっている。
【０００７】
（発明の目的）
本発明の第１の目的は、被写体距離変更時において、ダイアル部材が押下操作された際には、被写体距離に関連する表示要素を非表示とし、画面の視認性を向上させることのできる撮像装置、プログラムおよび記録媒体を提供しようとするものである。
【０００８】
本発明の第２の目的は、ダイアル部材の全長を最小限に抑えるとともにグリップの指かけ位置とダイアル部材、およびレリーズ操作部材の位置をぎりぎりまで近づけることにより優れた操作性を得ることのできる撮像装置を提供しようとするものである。
【０００９】
本発明の第３の目的は、付勢部材を用いて、ダイアル部材の回転時の操作感および押下時のストロークや操作感を最適化することのできる撮像装置を提供しようとするものである。
【００１０】
【課題を解決するための手段】
上記第１の目的を達成するために、請求項１に記載の発明は、双方向に回転可能かつ該回転方向と垂直方向に押下可能なダイアル部材を有する撮像装置において、画面内の被写体画像に重畳して表示される被写体距離に関連する表示要素を確認しながら前記ダイアル部材の回転操作により被写体距離変更可能な状態において、前記ダイアル部材の押下操作がなされた際は、前記被写体距離に関連する表示要素を非表示とする制御手段を有する撮像装置とするものである。
【００１１】
同じく上記第１の目的を達成するために、請求項１０に記載の発明は、請求項１、３、４、５の何れかに記載の表示要素の表示、非表示の処理手順をコンピュータに実行させるプログラムを提供するものである。
【００１２】
同じく上記第１の目的を達成するために、請求項１１に記載の発明は、請求項１０に記載のプログラムを記録したコンピュータ読み取り可能な記録媒体を提供するものである。
【００１３】
また、上記第２の目的を達成するために、請求項７に記載の発明は、前記ダイアル操作部の軸部の他端側に支持され、前記ダイアル部材が押下されることに連動して該ダイアル部材と一体的に上端から下端へスライドするスライド部材と、該スライド部材が前記下端までスライドすることにより、前記ダイアル部材が押下操作がされたことを検出して前記制御手段に伝達する押下操作検出手段とを有する請求項６に記載の撮像装置とするものである。
【００１４】
また、上記第３の目的を達成するために、請求項８に記載の発明は、前記ダイアル部材の前記軸部には凹凸部が形成されており、該凹凸部と正対した位置に、付勢力を利用して前記軸部の回転に合わせて伸縮あるいは変形して前記ダイアル操作部の回転トルクを増減したり、前記軸部が回転する際に特定位置または特定のピッチにおいてクリック力を加える、少なくとも１本の付勢部材を配置した請求項６又は７に記載の撮像装置とするものである。
【００１５】
【発明の実施の形態】
以下、本発明を図示の実施の形態に基づいて詳細に説明する。
【００１６】
図１（ａ），（ｂ）は本発明の実施の一形態に係わる電子カメラの正面および上面を示した図であり、同図において、１は撮影レンズ、２は電子カメラ本体の外装である。３は回動することにより電子カメラの非動作、撮影動作および再生動作等の動作モードを選択するための電源ダイアルであり、４は回動することにより撮影動作時のＡＶ優先、ＴＶ優先およびプログラム等の撮影モードを切り替えるためのモードダイアルである。５はレリーズボタンである。６は電子カメラのグリップ部分であり、該グリック部分６に、双方向に回転可能かつ回転方向と垂直方向に押下可能であり、シャッター速度や露出、被写体距離変更（マニュアルフォーカス（ＭＦ））時の被写体距離を調節可能なダイアル部材であるところの電子ダイアル７が備わっている。
【００１７】
図２（ａ）〜（ｃ）は図１に示す電子ダイアル７の外観図であり、図３（ａ），（ｂ）は電子ダイアル７の断面図である。
これらの図において、８は回転を検出するためのロータリーエンコーダであり、ダイアル操作部９の押下を検出するためのタクトスイッチ１０と同じフレキシブル基板１１上に実装されている。１３は、前記ダイアル操作部９を支持するための軸受け１３ａを備え、ベース部材１２上のガイドレールに沿ってスライド可能であり、かつ前記ダイアル操作部９の押下によりタクトスイッチ１０を作動させる事が可能なスライド部材であり、前記ダイアル操作部９の前面（図３（ａ）の右側）に取り付けられている。
【００１８】
前記ダイアル操作部９の軸部９ａにはロータリーエンコーダー８側と同位相にてクリック力が発生するように凸凹部９ｂが備えられており、それに正対する位置に板バネ１４が備え付けられ、前記ダイアル操作部９の回転時、前記板バネ１４の変形によりクリック力が発生する。また、前記ダイアル操作部９は前記板バネ１４により、常に前記タクトスイッチ１０と反対方向（図３（ａ）の上方向）に付勢されている。
【００１９】
なお、本実施の形態では板バネ４を１枚だけ使用しているが、本発明はこれに限定されるものではなく、すなわち板バネを２枚、またはそれ以上に増やしたり、付勢する向きを変えて用いても良い。その場合、クリック力や押下時の操作感をよりきめ細かく設定できるという効果がある。
図４は上記電子ダイアル７等を具備した電子カメラの回路構成の一例を示すブロック図であり、その中で１００は画像処理装置である。
【００２０】
１５は撮影レンズ、１７は絞り機能を備えるシャッター、１９は光学像を電気信号に変換する撮像素子、１６は撮像素子１９のアナログ信号出力をディジタル信号に変換するＡ／Ｄ変換器である。１８は、撮像素子１９、Ａ／Ｄ変換器１６およびＤ／Ａ変換器２６にクロック信号や制御信号を供給するタイミング発生回路であり、後述のメモリ制御回路２２及びシステム制御回路５０により制御される。
【００２１】
２０は画像処理回路であり、前記Ａ／Ｄ変換器１６からのデータ或いはメモリ制御回路２２からのデータに対して所定の画素補間処理や色変換処理を行う。また、該画像処理回路２０においては撮像した画像データを用いて所定の演算処理を行い、得られた演算結果に基づいて後述のシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、前記画像処理回路２０においては、撮像した画像データを用いて所定の演算処理を行い、得られた演算結果に基づいてＴＴＬ方式のＡＷＢ（オートホワイトバランス）処理も行っている。
【００２２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
前記Ａ／Ｄ変換器１６のデータが画像処理回路２０、メモリ制御回路２２を介して、或いはＡ／Ｄ変換器１６のデータが直接メモリ制御回路２２を介して、後述の画像表示メモリ２４或いはメモリ３０に書き込まれる。
【００２３】
２４は画像表示メモリ、２６はＤ／Ａ変換器である。２８はＴＦＴ　ＬＣＤ等から成る画像表示部であり、画像表示メモリ２４に書き込まれた表示用の画像データがＤ／Ａ変換器２６を介して該画像表示部２８により表示される。該画像表示部２８を用いて撮像した画像データを逐次表示すれば、電子ファインダー機能を実現することが可能である。
【００２４】
また、前記画像表示部２８は、システム制御回路５０の指示により任意に表示をＯＮ／ＯＦＦすることが可能であり、表示をＯＦＦにした場合には画像処理装置１００の電力消費を大幅に低減することが出来る。さらに、該画像表示部２８は回転可能なヒンジ部によって画像処理装置１００本体と結合されており、自由な向き、角度を設定して電子ファインダー機能や再生表示機能、各種表示機能を使用することが可能である。更に、該画像表示部２８の表示部分を画像処理装置１００に向けて格納することが可能であり、この場合は画像表示部開閉検知手段１０６により、格納状態を検知して画像表示部２８の表示動作を停止することが出来る。
【００２５】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２６】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。４０は絞り機能を備えるシャッター１７を制御する露光制御部であり、フラッシュ４８と連携することによりフラッシュ調光機能も有するものである。４２は撮影レンズ１５のフォーカシングを制御する測距制御部である。
【００２７】
前記露光制御部４０、測距制御部４２はＴＴＬ方式を用いて制御されており、撮像した画像データを画像処理回路２０によって演算した演算結果に基づき、システム制御回路５０が前記露光制御部４０及び測距制御部４２に対して制御を行う。
【００２８】
４４は撮影レンズ１５のズーミングを制御するズーム制御部、４６はバリアである保護部１０２の動作を制御するバリア制御部である。４８はコネクタであり、アクセサリーシューとも呼ばれ、フラッシュ装置４００との電気接点や機械的な固定部も合わせて備えている。５０は画像処理装置１００全体を制御するシステム制御回路、５２はシステム制御回路５０の動作用の定数、変数、プログラム等を記憶するメモリである。
【００２９】
５４は、システム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。該表示部５４は、その一部の機能が光学ファインダー１０４内に設置されている。
【００３０】
前記表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。また、前記表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３１】
５６は電気的に消去・記録可能な不揮発性メモリであり、例えばＥＥＰＲＯＭ等が用いられる。５９はタイマであり、時間制御に用いられる。６０，６２，６４，６６，６８及び７０は、システム制御回路５０の各種の動作指示を入力するための操作部であり、スイッチやダイアル、タッチパネル、視線検知によるポインティング、音声認識装置等の単数或いは複数の組み合わせで構成される。
【００３２】
ここで、これらの操作部の具体的な説明を行う。
【００３３】
６０はモードダイアル４の操作に連動するモードダイアルスイッチであり、電源オフ、自動撮影モード、撮影モード、パノラマ撮影モード、再生モード、マルチ画面再生・消去モード、ＰＣ接続モード等の各機能モードを切り替え設定することが出来る。６２（ＳＷ１）はシャッタースイッチであり、レリーズボタン５の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３４】
６４（ＳＷ２）はシャッタースイッチであり、レリーズボタン５の操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３５】
６６は画像表示ＯＮ／ＯＦＦスイッチであり、画像表示部２８のＯＮ／ＯＦＦを設定することが出来る。この機能により、光学ファインダー１０４を用いて撮影を行う際に、ＴＦＴ　ＬＣＤ等から成る画像表示部２８への電流供給を遮断することにより、省電力を図ることが可能となる。６８は単写／連写スイッチであり、シャッタースイッチＳＷ２を押した場合に１駒の撮影を行って待機状態とする単写モードとシャッタースイッチＳＷ２を押している間は連続して撮影を行い続ける連写モードとを設定することが出来る。
７０は各種ボタンやタッチパネル等からなる操作部であり、図２および図３で示された電子ダイアル７の他に、被写体距離変更モードに遷移するためのＭＦボタン、メニューボタン、セットボタン、マクロボタン、マルチ画面再生改ページボタン、フラッシュ設定ボタン、単写／連写／セルフタイマー切り替えボタン、メニュー移動用に十字方向に配置された右ボタン、左ボタン、上ボタン、下ボタン、ズームレンズをテレ方向へ移動するテレボタン、ワイド方向へ移動するワイドボタン、再生画像移動＋（プラス）ボタン、再生画像−（マイナス）ボタン、メニュー移動アップボタン、メニュー移動ダウンボタン、撮影画質選択ボタン、露出補正ボタン、日付／時間設定ボタン、パノラマモード等の撮影及び再生を実行する際に各種機能の選択及び切り替えを設定する選択／切り替えボタン、音声記録を開始するボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生モードスイッチ、撮影モード状態において、撮影した画像をメモリ３０或いは記録媒体２００或いは２１０から読み出して画像表示部２８によって表示する再生動作の開始を指示する再生スイッチ、アクティブなドライブを変更するためのドライブボタン、再生時に１枚表示と複数枚表示とを切り替える再生表示きり替えボタン、記録画像の付帯情報を表示するための情報表示ボタン等がある。
【００３６】
８０は電源制御部であり、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３７】
８２及び８４はコネクタである。８６は、アルカリ電池やリチウム電池等の一次電池やＮｉＣｄ電池やＮｉＭＨ電池、Ｌｉ電池等の二次電池、ＡＣアダプター等からなる電源部である。９０及び９４はメモリカードやハードディスク等の記録媒体とのインタフェース、９２及び９６はメモリカードやハードディスク等の記録媒体と接続を行うコネクタ、９８はコネクタ９２と９６又は何れかのコネクタに記録媒体２００或いは２１０が装着されているか否かを検知する記録媒体着脱検知部である。
【００３８】
なお、本実施の形態では、記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（小型のフラッシュ装置）カード等の規格に準拠したものを用いて構成して構わない。さらに、インタフェース９０及び９４、そしてコネクタ９２及び９６をＰＣＭＣＩＡカードやＣＦ（小型のフラッシュ装置）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００３９】
１０２は、画像処理装置１００のレンズ１０を含む撮像部を覆う事により、撮像部の汚れや破損を防止するバリアである保護部である。１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。１０６は画像表示部開閉検知部であり、画像表示部２８が、画像表示部２８の表示部分を画像処理装置１００に向けて格納した格納状態にあるかどうかを検知することが出来る。ここで、格納状態にあると検知したならば画像表示部２８の表示動作を停止して不要な電力消費を禁止することが可能である。
【００４０】
１１０は通信部であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信部１１０により画像処理装置１００を他の機器と接続するコネクタ或いは無線通信の場合はアンテナである。２００はメモリカードやハードディスク等の記録媒体である。該記録媒体２００は、半導体メモリや磁気ディスク等から構成される記録部２０２、画像処理装置１００とのインタフェース２０４、画像処理装置１００と接続を行うコネクタ２０６を備えている。２１０はメモリカードやハードディスク等の記録媒体である。該記録媒体２１０は、半導体メモリや磁気ディスク等から構成される記録部２１２、画像処理装置１００とのインタフェース２１４、画像処理装置１００と接続を行うコネクタ２１６を備えている。
【００４１】
４００はフラッシュ装置、４０２は画像処理装置１００のアクセサリーシューと接続するためのコネクタである。４０４はフラッシュであり、ＡＦ補助光の投光機能、フラッシュ調光機能も有する。
【００４２】
図５は、図２および図３に示された電子ダイアル７を用いて被写体距離変更動作を実現するフローチャートであり、図６〜図８はその際の画面構成例を示す図である。
【００４３】
以下に図５〜図８を用いて、被写体距離変更動作およびその時の画面遷移を示す。
【００４４】
システム制御部５０は操作部７０配下のキー状態を監視し、キー状態に変化があった場合イベント配信を行う。電子ダイアル７を撮影レンズ１側に回転すると［ＰＲＥＶ］イベントを発行し、逆方向に回転した場合、［ＮＥＸＴ］イベントを発行する。また、電子ダイアル７が押下されると、［ＳＥＴ］イベントを発行する。モードダイアル４（モードダイアルスイッチ６０）の撮影モードがマニュアル露出モードである場合、シャッター速度値６０２及び絞り値が制御可能となる。
【００４５】
図６（ａ）の通常画面６０１において、現在のシャッター速度値（１／２５０）６０２及び絞り値（Ｆ２．０）６０３が画像表示部２８に表示されている。また背景には、撮像素子１９を介してＡ／Ｄ変換部１６でＡ／Ｄ変換された画像がメモリ制御部１８ならびにＤ／Ａ変換部２６を介して、ライブ画像（不図示）として表示されている。このとき、カレントの選択アイテムを示すカーソル６０９はシャッター速度値６０２の近傍に配置され、現在の選択アイテムはシャッター速度であることを明示する。この状態で電子ダイアル７が撮影レンズ１側に回転されると、設定値を低速側に変更し、逆方向に回転されると、高速側に設定値を変更する。
【００４６】
また、電子ダイアル７が押下されると、図６（ｂ）の画面６０８に示すように、カレントの設定アイテムを絞り値６０３に移動し、カーソル６０９を絞り値６０３の近傍に移動し、現在の選択アイテムが絞り値であることを明示する。この状態で、電子ダイアル７が撮影レンズ１側に回転されると、設定値を開放側に変更し、逆方向に回転されると、小絞り側に変更する。
また、電子ダイアル７が押下されると、前記シャッター速度に選択対象を変更し、カーソル６０９をシャッター速度値６０２の近傍に配置しなおす（図６（ａ）参照）。
【００４７】
このとき操作部７０配下のＭＦボタンが押されると、システム制御部５０は被写体距離変更状態に遷移する。この時の画面の構成例を図７（ａ）に６０６にて示す。
【００４８】
まずカメラの設定モードが被写体距離の変更モードとなったことを明示的にするためのＭＦアイコン６０４を表示し、前記カーソル６０９をＭＦアイコン６０４の近傍に配置する。また、現在の被写体距離情報を測距制御部４４から取得し、その情報をＧＵＩ的な被写体距離バー６０５として表示する。また、被写体画像のピント確認を補助するために、撮像素子１９の特定矩形領域からの信号を画像処理部２０において拡大処理を施した結果をメモリ制御部２２およびＤ／Ａ変換部２６を介し、通常ライブ画像の上の拡大表示部６１０に表示する。
【００４９】
また、撮影モードがプログラムＡＥで動作するモードの場合に、操作部７０配下のＭＦボタンが押されると、上記マニュアル露出モードと同様に被写体距離変更状態に移行する（図８（ａ）参照）。このときも同様に、被写体距離変更状態となったことを明示するためのＭＦアイコン６０４、および選択対象を明示するカーソル６０９を同様に表示する。さらに被写体画像の拡大表示部６１０を通常ライブ画像上に表示し、現在の被写体距離情報を測距制御部４２から取得してその値を被写体距離バー６０５として表示する。
【００５０】
システム制御部５０は、上記被写体距離変更状態に遷移すると、まずイベント取得を行う（図５のＳ２１）。取得したイベントが［ＮＥＸＴ］、つまり電子ダイアル７が撮影レンズ１と逆方向に回転された場合（Ｓ２２のＹ）、測距制御部４４に対し被写体距離が遠距離側になるように不図示のフォーカスレンズを移動させる指示を行い（Ｓ２５）、その距離に応じた被写体距離バー６０５の表示を更新する（Ｓ２７）。
【００５１】
また、取得したイベントが［ＮＥＸＴ］でなく（Ｓ２２のＮ）、［ＰＲＥＶ］、つまり電子ダイアル７が撮影レンズ１側に回転された場合（Ｓ２３のＹ）、測距制御部４４に対し被写体距離が近距離側になるように移動させる指示を行い（Ｓ２６）、その距離に応じた被写体距離バー６０５の表示を更新する（Ｓ２７）。また、取得したイベントが［ＳＥＴ］、つまり電子ダイアル７が押下された場合は、測距画像の拡大表示部６１０を非表示にし（Ｓ２８）、被写体距離バー６０５も非表示にする（Ｓ２９）。続いて、撮影モードを取得し、撮影モードがマニュアル露出モードまたはＴｖ優先モードである場合（Ｓ３４のＹ）、被写体距離設定状態からシャッター速度設定状態へ移行する（Ｓ３２）。このとき、カレント設定状態を示すカーソル６０９をシャッター速度値の近傍に移動させる（図７（ｂ）の画面６０７参照）。このとき、マニュアルフォーカス状態は継続されるため、ＭＦアイコン６０４は継続表示される。
【００５２】
また、撮影モードがＡｖ優先である場合（Ｓ３１のＹ）、被写体距離設定状態から絞り値設定状態に移行する（Ｓ３３）。このとき、カレント設定状態を示すカーソル６０９を絞り値設定表示の近傍に移動させ、カレント設定状態が絞り値であることを明示する。
【００５３】
一方、その他のモードの場合（Ｓ３１のＮ）では、さらにカレント状態を示すカーソル６０９を非表示し（Ｓ３６）、通常状態へ移行する（Ｓ３７）。このときの画面の構成例を示したのが図８（ｂ）の７０１である。この状態ではＭＦ状態は保持するが、電子ダイアル７の回転に応じた被写体距離変更は行わない。再度電子ダイアル７の押下動作がなされると、被写体距離変更状態に遷移し（図８（ａ）の画面７００参照）、電子ダイアル７の回転動作に応じて被写体距離の変更が可能となる。
【００５４】
以上の実施の形態によれば、双方向に回転可能かつ押下可能な電子ダイアル７を用いて、シャッター速度、絞り、被写体距離等を変更する操作系を有した電子カメラ（撮像装置）において、被写体距離変更モードに遷移すると、被写体距離バー６０５による被写体距離情報および拡大表示部６１０による被写体画像の部分拡大表示を行い、電子ダイアル７の回転操作によりこれら表示を確認しながらの被写体変更操作を容易なものにする。
【００５５】
そして、この被写体変更操作が終了して、次に例えば絞り値やシャッター速度の設定を行うために該電子ダイヤル７の押下操作がなされた場合は、上記の各表示は不要になることや、従来のようにこれらが画面に表示されたままだと、その後に絞り値やシャッター速度の設定を行う場合にはこれらの表示要素も表示されることになるため、画面内に表示要素が氾濫し、却って誤操作を招く虞もある。また、絞り値やシャッター速度の設定が不要であるとしても、ライブ画像（被写体画像）の確認がしづらいものになる。つまり、ファインダー（画面）の視認性が悪化してしまう。
【００５６】
そこで、操作感を実現した電子ダイアル７の押下操作がなされた場合には、被写体距離に関連する表示要素、詳しくは上記被写体距離情報および被写体画像の部分拡大表示を消すようにしている。よって、ファインダーの視認性を向上させることが可能となり、さらに操作性を向上させることにもつながる。
【００５７】
また、図２および図３で説明した構成の電子ダイアル７の真下（押下される方向）に、該電子ダイアル７に連動するスライド部材１３を介して該電子ダイアル７の押下操作を検出するタスクスイッチ１０を設けることにより、ダイアル操作部９の押下時の操作感を損なうことなく該電子ダイアル７の機構（全長）を小型化することができ、図１に示すように該電子ダイアル７をレリーズスイッチ５の近傍に配置することや、グリップ自体のデザインの自由度が増し、人間工学的に適した位置に該電子ダイアル７を配置する上で好適であると言える。
【００５８】
また、図３（ｂ）で説明した板バネ１４（付勢部材）の荷重やダイアル軸（９ａ）の凸凹形状（９ｂ）、凸量を調節することにより、簡単に回転操作時のクリック感や押下時のストロークを変更することができる。また、この板バネ１４は前記スライド部材１３、つまりは前記電子ダイアル７を初期の状態に復帰させる機能を有するため、新たな復帰手段を不要とし、この面でも小型化に寄与するものとなる。
【００５９】
【発明の効果】
以上説明したように、本発明によれば、被写体距離変更時において、ダイアル部材が押下操作された際には、被写体距離に関連する表示要素を非表示とし、画面の視認性を向上させることができる撮像装置、プログラムまたは記録媒体を提供できるものである。
【００６０】
また、ダイアル部材の全長を最小限に抑えるとともにグリップの指かけ位置とダイアル部材、およびレリーズ操作部材の位置をぎりぎりまで近づけることにより優れた操作性を得ることでき、また付勢部材を用いて、ダイアル部材の回転時の操作感および押下時のストロークや操作感を最適化することができる撮像装置を提供できるものである。
【図面の簡単な説明】
【図１】本発明の実施の一形態に係わる電子カメラを示す上面図および正面図である。
【図２】本発明の実施の一形態に係わる電子ダイアルを示す外観図である。
【図３】本発明の実施の一形態に係わる電子ダイアルを示す断面図である。
【図４】本発明の実施の一形態に係わる電子カメラの回路構成を示すブロック図である。
【図５】本発明の実施の一形態に係わる電子カメラの主要部分の動作を示すフローチャートである。
【図６】本発明の実施の一形態に係わる画面構成例である。
【図７】同じく本発明の実施の一形態に係わる画面構成例である。
【図８】同じく本発明の実施の一形態に係わる画面構成例である。
【符号の説明】
１　　　　　　撮影レンズ
４　　　　　　モードダイアル
５　　　　　　レリーズボタン
６　　　　　　グリップ部分
７　　　　　　電子ダイアル
９　　　　　　ダイアル操作部
１３　　　　　スライド部材
１４　　　　　板バネ
１５　　　　　撮影レンズ
６０３　　　　絞り値
６０４　　　　ＭＦアイコン
６０５　　　　被写体距離バー
６０６　　　　マニュアル露出モードにおける被写体距離変更状態を示す画面構成
６０７　　　　ＭＦ状態におけるマニュアル露出モード時のシャッター速度変更状態を示す画面構成
６０８　　　　マニュアル露出モード時絞り値変更状態を示す画面構成
６０９　　　　カーソル
６１０　　　　被写体画像拡大窓
【図１】
2004104722.tif 000003
【図２】
2004104722.tif 000004
【図３】
2004104722.tif 000005
【図４】
2004104722.tif 000006
【図５】
2004104722.tif 000007
【図６】
2004104722.tif 000008
【図７】
2004104722.tif 000009
【図８】
2004104722.tif 000010